【事件の表示】
　特願２００７−　８３０５１「移動通信端末」拒絶査定不服審判事件〔平成１９年　７月１９日出願公開、特開２００７−１８４９８７〕について、次のとおり審決する。
【結　論】
　本件審判の請求は、成り立たない。
【理　由】
第１．手続の経緯
　
　本願は、平成１５年３月２４日に出願した特願２００３−８００６５号の一部を平成１９年３月２７日に新たな特許出願としたものであって、平成２１年８月２６日付けで拒絶査定がなされ、これに対して、同年１２月１日に拒絶査定不服審判が請求されるとともに、同日付けで手続補正がなされたものである。
　また、当審において、平成２３年４月２７日付けで審査官による前置報告書の内容を添付して審尋を行い、請求人から同年７月１１日に回答書が提出されている。
　
　
第２．補正の却下の決定
　
［結論］
　平成２１年１２月１日付け手続補正（以下、「本件補正」という。）を却下する。
　
［理由］
１．本願発明と補正後発明
　本件補正は、補正前の特許請求の範囲の請求項１に記載された、
　
「内蔵されたカメラと、
　前記内蔵されたカメラによって撮影した画像を感情モードとして設定する手段と、
　発呼を行う際に、感情モードが選択されたと判定した場合、該感情モードのデータを、付加して送る手段と、
　を備えた移動通信端末。」
　
という発明（以下、「本願発明」という。）を、補正後の特許請求の範囲の請求項１に記載された、
　
「内蔵されたカメラと、
　感情モードが選択されたか否かを判定する手段と、
　前記内蔵されたカメラによって撮影した画像を感情モードとして設定する手段と、
　発呼を行う際に、
　感情モードが選択されたと判定した場合に、前記画像を感情モードとして設定する手段により前記選択された感情モードの設定をすると共に、該設定された感情モードのデータを付加して送り、
　感情モードが選択されていないと判定した場合は、感情モードのデータを付加することなく発呼する手段と、
　を備えた移動通信端末。」
　
という発明（以下、「補正後発明」という。）に変更することを含むものである。
　
２．補正の適否
（１）新規事項の有無、補正の目的要件
　本件補正は、願書に最初に添付した特許請求の範囲、明細書又は図面に記載した事項の範囲内において、補正前の特許請求の範囲の請求項１に「感情モードが選択されたか否かを判定する手段」を追加するとともに、補正前の特許請求の範囲の請求項１に記載された「発呼を行う際に、感情モードが選択されたと判定した場合、該感情モードのデータを、付加して送る手段」を、補正後の特許請求の範囲の請求項１に記載された「発呼を行う際に、感情モードが選択されたと判定した場合に、前記画像を感情モードとして設定する手段により前記選択された感情モードの設定をすると共に、該設定された感情モードのデータを付加して送り、感情モードが選択されていないと判定した場合は、感情モードのデータを付加することなく発呼する手段」に変更するものであり、当該補正事項が付加されることによって発明がさらに限定されたということができるから、本件補正は、平成１４年法律第２４号改正附則第３条第１項によりなお従前の例によるとされる同法による改正前の特許法第１７条の２第３項（新規事項）、平成１８年法律第５５号改正附則第３条第１項によりなお従前の例によるとされる同法による改正前の特許法第１７条の２第４項第２号（特許請求の範囲の減縮）の規定に適合している。
　
（２）独立特許要件
　本件補正は特許請求の範囲の減縮を目的とするものを含むものであるから、上記補正後発明が特許出願の際独立して特許を受けることができるものであるかについて以下検討する。
　
［補正後発明］
　上記「１．本願発明と補正後発明」の項で補正後発明として認定したとおりである。
　
［引用発明］
　原査定の拒絶の理由に引用された刊行物である特開２００２−２７０３０号公報（以下、「引用例」という。）には、図面とともに以下の事項が記載されている。
　
（ア）「【０００１】
【発明の属する技術分野】本発明は、通信端末装置及び着信メロディ演奏方法に係り、更に詳しくは、着信の際に受信した発呼者情報に対応する着信メロディを読み出して演奏することにより着信を報知する通信端末装置及び着信メロディ演奏方法に関する。」（３頁３欄２５〜３０行）
　
（イ）「【００２２】
【実施の形態】以下、本発明の実施の形態を図面と共に詳細に説明する。
【００２３】図１は、本発明に係る通信端末装置の構成ブロック図である。
【００２４】１は、送受信部であり、アンテナ１５で受信した電波信号を中間周波数帯に変換したり、中間周波数帯の送信信号を無線周波数帯に変換して送信する。
【００２５】２は、モデム部であり、送受信信号を変復調する。
【００２６】３は、音声コーデック部であり、音声信号の符号化や復号化を行う。
【００２７】４は、アナログフロントエンド部であり、符号化された音声信号をディジタル／アナログ変換してレシーバ６を駆動したり、マイク５より入力された音声信号をアナログ／ディジタル変換して音声コーデック３に出力する。
【００２８】７は、制御部であり、通話に必要な制御（例えば、位置登録、待受け、リンク確立、ハンドオーバなどの制御）や表示制御など通信端末装置の全ての制御、特に着信メロディ指定制御、着信メロディ送受信制御、電話番号通知制御および電話番号記憶制御などを行う。この着信メロディ指定制御において、制御部７は、相手先に発呼する場合、相手先の通信端末装置に記憶された着信メロディを指定する情報を各種制御信号と一緒に送信して、着信の際に当該着信メロディを演奏させる。また、着信メロディ送受信制御において、制御部７は、着信メロディ送信サーバに記憶された着信メロディを指定する指定データを送信したり、後述する記憶部１０が記憶する着信メロディの楽曲データを読み出して発呼制御信号とともに直接送信する。
【００２９】８は、キー入力部であり、所望の操作に必要なデータを入力する。
【００３０】９は、表示部であり、カラー液晶表示装置（以下、「カラーＬＣＤ」という）やＥＬ（エレクトロ・ルミネッセンス）、ＰＤＰ（プラズマ・ディスプレイ・パネル）などから成り、発呼者データや画像データを表示する。
【００３１】１０は、記憶部であり、発呼や電子メールの送信に使用する電話帳データや写真などの画像データ、着信メロディの楽曲データおよび保留メロディデータなどを記憶する。
【００３２】１１は、メロディ発生部であり、記憶部１０が記憶する着信メロディの楽曲データや受信した楽曲データに基づいて、着信メロディを発生させる。また、通話中においてキー入力部８の保留キーが操作されると、通話相手に対応する着信メロディをモデム部２、送受信部１およびアンテナ１５を経由して送信する。ただし、音声コーデック部３を経由する場合もある。
【００３３】１２は、外部接続端子であり、ＤＳＣ（デジタル・スチル・カメラ）やＤＶＣ（デジタル・ビデオ・カメラ）などの画像データ入力装置１３から画像データが入力され、記憶部１０に記憶される。また、ＭＩＤＩ対応音楽装置１４などから外部接続端子１２を経由して入力された着信メロディの楽曲データも記憶することができる。さらに、旧の通信端末装置に記憶されている電話帳データを新の通信端末装置に転送して記憶することができる。」（５頁７欄２１行〜８欄２８行）
　
（ウ）「【００４２】電話／電子メールメモリのメモリ番号１には、電話番号が０９０−８７６５−４３２１、名前が山田花子、Ｅ−ＭＡＩＬアドレスがＮＵＬＬおよび着信メロディ番号として１番が新たに登録されている。なお、Ｅ−ＭＡＩＬアドレスの登録画面は図２に表示していないが、同画面にＥ−ＭＡＩＬアドレスの登録項目を増やすことにより登録要求するようにしてもよいし、別個に入力画面を設けてもよい。
【００４３】また、着信メロディメモリのメモリ番号４には、音楽データ４が新たに登録されている。この登録操作としては、例えば、ユーザがキー入力部８を操作して直接着信メロディデータを入力したり、外部接続端子１２を経由してＭＩＤＩ対応音楽装置などから入手したり、着信メロディサービスを利用して所望の着信メロディデータを受信して記憶する。なお、音楽データＮはデフォルトとして記憶された音楽データであり、着信メロディ番号の指定がない場合に着信メロディおよび保留メロディとして流される。ただし、デフォルトとして音楽データＮの１つだけではなく、それ以外に数個記憶させることもできる。
【００４４】この音楽データ４は、例えば楽しくなるような楽曲の「ビューティフル・サンデー」を登録しておき、良い知らせの場合に演奏するようにする。逆に、音楽データ３には、悲しくなるような楽曲の「葬送行進曲」を登録しておき、悪い知らせの場合に演奏するようにする。」（６頁９欄１５〜４０行）
　
（エ）「【００４６】第１実施例：図４は、本発明に係る通信端末装置が具備する表示部の模式図である。
【００４７】まず、発呼者である山田花子（自局電話番号：０９０−８７６５−４３２１）が着呼側の当該ユーザ（この場合、山田太郎）に電話を掛けようとしていると仮定する。
【００４８】山田花子が、キー入力部８を操作して、記憶部１０の電話帳メモリから山田太郎のデータを呼び出した状態が図４（Ａ）である。この状態で、キー入力部８の着信メロディ指定キーを押すと、制御部７は、まず「良い知らせ」を表示する（図４（Ｂ）参照）。そして、引き続き着信メロディ指定キーを押すと、制御部７は「悪い知らせ」を表示する（図４（Ｃ）参照）。さらに、着信メロディ指定キーを押すと、制御部７は着信メロディの項目がない図４（Ａ）の状態に戻す。ただし、この実施例では「良い知らせ」と「悪い知らせ」の２つだけを挙げて説明しているが、例えば「楽しい知らせ」や「悲しい知らせ」など必要に応じて項目を増やすことは可能である。
【００４９】つぎに、図４（Ｂ）の状態で、山田花子がキー入力部８の通話キーを操作すると、制御部７は、記憶部１０の電話／電子メールメモリから電話番号の０９０−１１１１−１１１１と着信メロディ指定データである「４」を読み出して、所定の通信手順に従って各種制御データを基地局を経由して通信網側に送信し、山田太郎に発呼する。尚、図３には明示していないが、着信メロディ指定データは、メモリ番号毎に「良い知らせ」および「悪い知らせ」の場合に送信するデータが別個に登録されている。すなわち、山田太郎の場合には、「良い知らせ」のデータが「４」で「悪い知らせ」のデータ値が「３」であるが、他の通話相手の場合には、異なったデータが登録されるのである。
【００５０】通信網側は、山田花子から山田太郎への発呼指示を受けると、基地局の制御チャネルを通して０９０−１１１１−１１１１に着信があったこと及び着信メロディ指定データ「４」であることを報知し、山田太郎の通信端末装置を呼び出す。
【００５１】図５は、本発明に係る通信端末装置が具備する表示部の模式図である。
【００５２】山田太郎が所有する通信端末装置の制御部７は、待ち受け中に基地局から指定された制御チャネルを常に監視しており、自己に着信があったこと及び着信メロディ指定データが「４」であることを検出すると、同時に送信されてくる発呼者情報の０９０−８７６５−４３２１が記憶部１０の電話／電子メールメモリに登録されているか否かを判断する。この場合、メモリ番号１に０９０−８７６５−４３２１が登録されているので、制御部７は発呼者番号と名前の山田花子を表示し、さらに着信メロディ指定データが「４」であることから、それに対応する文字データの「良い知らせ」を表示するとともに、メモリ番号４に登録された音楽データ４の「ビューティフル・サンデー」を着信メロディとして演奏する（図５（Ａ）参照）。
【００５３】ここでもし、着信メロディ指定データの「３」を受信した場合には、制御部７は、「悪い知らせ」を表示するとともに、メモリ番号３に登録された音楽データ３の「葬送行進曲」を演奏する（図５（Ｂ）参照）。また、着信メロディ指定データを受信しなかった場合には、制御部７は、メモリ番号１に登録された音楽データ１を演奏するだけで、「良い知らせ」または「悪い知らせ」を表示しない（図５（Ｃ）参照）。なお、受信した発呼者情報（例えば、０９０−２２２２−２２２２）が記憶部１０の電話／電子メールメモリに登録されていない場合には、制御部７は、着信メロディ指定データが送信されてきたとしても、それに対応する音楽データを演奏せず、発呼者不明の際の着信音を発生させる（図５（Ｄ）参照）。そして、この後に山田太郎が通話キーを押すと、制御部７は所定のリンク確立手順に従って通信回線を接続し、通話可能状態にする。但し、上記第１実施例では、着信メロディ指定データを番号で指定したが、「良い知らせ」または「悪い知らせ」という情報だけを送信し、受信側でそれに対応する着信メロディを演奏するようにしてもよい。また、この場合も、発呼者情報が記憶部１０の電話／電子メールメモリに登録されていないときには、それに対応する音楽データを演奏しないようにしてもよい。」（６頁９欄４４行〜７頁１１欄１９行）
　
　
　上記（イ）段落【００２８】の記載及び図面並びにこの分野における技術常識を考慮すると、引用例記載の通信端末装置は、通話に必要な制御を行う手段、着信メロディの指定を行う手段、及び、相手先に発呼する場合、相手先の通信端末装置に記憶された着信メロディを指定する情報を各種制御信号と一緒に送信する手段を備えているといえる。
　また、「着信メロディの指定を行う手段」は、上記（ウ）段落【００４４】の「この音楽データ４は、例えば楽しくなるような楽曲の「ビューティフル・サンデー」を登録しておき、良い知らせの場合に演奏するようにする。逆に、音楽データ３には、悲しくなるような楽曲の「葬送行進曲」を登録しておき、悪い知らせの場合に演奏するようにする。」の記載及び技術常識を考慮すれば、「着信メロディを楽しくなるようなもの、悲しくなるようなものとして指定する手段」といえる。
　
　上記（エ）の記載及び図４並びにこの分野における技術常識を考慮すると、引用例記載の通信端末装置は、「キー入力部８の着信メロディ指定キー」を押すごとに、「良い知らせ」「悪い知らせ」「楽しい知らせ」「悲しい知らせ」などの項目を切り替えて表示し、着信メロディの項目がない図４（Ａ）の状態（「良い知らせ」「悪い知らせ」などの表示がない状態）に戻る制御を行い、「キー入力部８の通話キー」を操作すると、表示された着信メロディの項目、又は、着信メロディの項目がない状態に対応するデータを送信しているから、「キー入力部８の着信メロディ指定キー」を押すことによって着信メロディの項目、又は、項目がない状態を選択指定し、「キー入力部８の通話キー」を操作することによって選択指定した着信メロディの項目、又は、着信メロディの項目がない状態を設定しデータを送信しているといえる。
　また、上記（エ）記載の制御を行うために、引用例記載の通信端末装置が、「キー入力部８の通話キー」を操作するとき、すなわち、発呼を行う際に、「キー入力部８の着信メロディ指定キー」によってどのような着信メロディの項目、又は、項目がない状態が選択指定されているかを判定する手段を有していることは、技術常識である。
　そして、上記（エ）の
「【００４９】つぎに、図４（Ｂ）の状態で、山田花子がキー入力部８の通話キーを操作すると、制御部７は、記憶部１０の電話／電子メールメモリから電話番号の０９０−１１１１−１１１１と着信メロディ指定データである「４」を読み出して、所定の通信手順に従って各種制御データを基地局を経由して通信網側に送信し、山田太郎に発呼する。」（６頁１０欄１３〜１９行）
「【００５３】ここでもし、着信メロディ指定データの「３」を受信した場合には、制御部７は、「悪い知らせ」を表示するとともに、メモリ番号３に登録された音楽データ３の「葬送行進曲」を演奏する（図５（Ｂ）参照）。また、着信メロディ指定データを受信しなかった場合には、制御部７は、メモリ番号１に登録された音楽データ１を演奏するだけで、「良い知らせ」または「悪い知らせ」を表示しない（図５（Ｃ）参照）。」（６頁１０欄４７行〜７頁１１欄４行）
の記載、上記（イ）の段落【００２８】の記載、及びこの分野における技術常識を考慮すると、着呼側通信端末装置が着信メロディ指定データを受信しなかった場合とは、着信メロディの項目がない状態で発呼した場合に対応するものであるから、発呼側通信端末装置は、着信メロディの項目がない状態が選択指定されたときは、着信メロディを指定する情報を各種制御信号と一緒に送信することなく発呼する手段を備えているといえる。
　
　したがって、上記（ア）〜（エ）の記載及び図面並びにこの分野における技術常識を考慮すると、上記引用例には以下の発明（以下、「引用発明」という。）が開示されている。
　
「外部接続端子に接続されたデジタル・スチル・カメラと、
　どのような着信メロディの項目、又は、項目がない状態が選択指定されているかを判定する手段と、
　着信メロディを楽しくなるようなもの、悲しくなるようなものとして指定する手段と、
　発呼を行う際に、
　着信メロディの項目が選択指定されたと判定した場合に、選択指定された項目に対応する着信メロディを指定する情報を設定するとともに、設定された着信メロディを指定する情報を各種制御信号と一緒に送信し、
　着信メロディの項目がない状態が選択指定されたと判定した場合は、着信メロディを指定する情報を各種制御信号と一緒に送信することなく発呼する手段と、
　を備えた通信端末装置。」
　
　
［対比・判断］
　補正後発明と引用発明とを対比する。
　
　引用発明の「外部接続端子に接続されたデジタル・スチル・カメラ」と、補正後発明の「内蔵されたカメラ」は、「カメラ」である点で一致するといえる。
　引用発明の「着信メロディ」は、上記摘記事項（ウ）の段落【００４４】「この音楽データ４は、例えば楽しくなるような楽曲の「ビューティフル・サンデー」を登録しておき、良い知らせの場合に演奏するようにする。逆に、音楽データ３には、悲しくなるような楽曲の「葬送行進曲」を登録しておき、悪い知らせの場合に演奏するようにする。」の記載、上記摘記事項（エ）の段落【００４８】の記載及び技術常識を考慮すれば、着呼側に対して『楽しい』『悲しい』などの所定の感情をもたらすもの、すなわち、所定の感情を表現するためのものであり、『着信メロディの項目、又は、項目がない状態を選択指定すること』は、『感情の表現項目、又は、感情の表現がない状態を選択指定すること』であるといえるから、引用発明の「どのような着信メロディの項目、又は、項目がない状態が選択指定されているかを判定する手段」と、補正後発明の「感情モードが選択されたか否かを判定する手段」は、「感情の表現の選択状態を判定する手段」である点で一致するといえる。
　引用発明の「着信メロディを楽しくなるようなもの、悲しくなるようなものとして指定する手段」と、補正後発明の「前記内蔵されたカメラによって撮影した画像を感情モードとして設定する手段」は、「コンテンツを所定の感情を表現するものとして設定する手段」である点で一致するといえる。
　引用発明の「着信メロディの項目が選択指定されたと判定した場合」と、補正後発明の「感情モードが選択されたと判定した場合」は、既述のとおり引用発明の「着信メロディ」が所定の感情を表現するためのものであることから、「所定の感情を表現することが選択されたと判定した場合」である点で一致するといえる。
　『情報を各種制御信号と一緒に送信すること』は、『情報を付加して送ること』を包含し、既述のとおり引用発明の「着信メロディ」が所定の感情を表現するためのものであることから、引用発明の「選択指定された項目に対応する着信メロディを指定する情報を設定するとともに、設定された着信メロディを指定する情報を各種制御信号と一緒に送信」することと、補正後発明の「前記画像を感情モードとして設定する手段により前記選択された感情モードの設定をすると共に、該設定された感情モードのデータを付加して送」ることは、「コンテンツを所定の感情を表現するものとして設定する手段により選択された感情の表現の設定をすると共に、該設定された感情の表現をするためのデータを付加して送」る点で一致するといえる。
　引用発明の「着信メロディの項目がない状態が選択指定されたと判定した場合」と、補正後発明の「感情モードが選択されていないと判定した場合」は、既述のとおり引用発明の「着信メロディ」が所定の感情を表現するためのものであることから、「所定の感情を表現することが選択されていないと判定した場合」である点で一致するといえる。
　『情報を各種制御信号と一緒に送信すること』は、『情報を付加すること』を包含し、既述のとおり引用発明の「着信メロディ」が所定の感情を表現するためのものであることから、引用発明の「着信メロディを指定する情報を各種制御信号と一緒に送信することなく発呼する」ことと、補正後発明の「感情モードのデータを付加することなく発呼する」ことは、「感情の表現をするためのデータを付加することなく発呼する」点で一致するといえる。
　引用発明の「通信端末装置」は、引用例３頁３欄３８〜４３行の
「【０００３】
【従来の技術】近年、携帯情報端末や携帯電話機に代表される通信端末装置の普及は目覚しく、特に携帯電話機では通話料金や本体価格の低下に伴い、一人に一台の時代となりつつあり、若者の間では既に必須アイテムとなっている。」
との記載から分かるように、携帯通信端末を包含するものであるから、補正後発明の「移動通信端末」に相当する。
　
　したがって、補正後発明と引用発明は、以下の点で一致ないし相違している。
　
（一致点）
「カメラと、
　感情の表現の選択状態を判定する手段と、
　コンテンツを所定の感情を表現するものとして設定する手段と、
　発呼を行う際に、
　所定の感情を表現することが選択されたと判定した場合に、コンテンツを所定の感情を表現するものとして設定する手段により選択された感情の表現の設定をすると共に、該設定された感情の表現をするためのデータを付加して送り、
　所定の感情を表現することが選択されていないと判定した場合は、感情の表現をするためのデータを付加することなく発呼する手段と、
　を備えた移動通信端末。」
　
　
（相違点）
（１）「カメラ」に関し、補正後発明は「内蔵されたカメラ」であるのに対し、引用発明は「外部接続端子に接続されたデジタル・スチル・カメラ」である点。
　
（２）「感情の表現の選択状態」に関し、補正後発明は「感情モードが選択されたか否か」であるのに対し、引用発明は「どのような着信メロディの項目、又は、項目がない状態が選択指定されているか」である点。
　
（３）「コンテンツ」に関し、補正後発明は「内蔵されたカメラによって撮影した画像」であるのに対し、引用発明は「着信メロディ」である点。
　
（４）「所定の感情を表現するもの」、及び、「感情の表現をするためのデータ」に関し、補正後発明はそれぞれ「感情モード」、及び、「感情モードのデータ」であるのに対し、引用発明は「楽しくなるようなもの、悲しくなるようなもの」、及び、「着信メロディを指定する情報」である点。
　
　
　そこで、上記相違点について以下検討する。
　
　相違点（１）について以下検討する。
　例えば、本件出願の原出願がなされる前に公開された特開２００２−１１１８９６号公報の【従来の技術】欄３頁４欄段落【０００３】に
「【０００３】通信装置を利用して，お互いの顔を撮影した画像をリアルタイムで送受信しながら会話を行うことを可能とするものとして，カメラを付属させ画像を入力し，その画像を相手側に送信することを可能とした携帯電話がある。」
と記載されているように、内蔵されたカメラを備えた移動通信端末は、本件出願の原出願時当業者に周知のものであり、引用発明において、周知の「内蔵されたカメラ」を備えるようにすることは、当業者が容易に想到し得たことである。
　
　相違点（２）について以下検討する。
　引用例記載の「着信メロディ」は、既述のとおり「楽しい」「悲しい」などの感情を表現するためのものであり、『着信メロディの項目がある状態』を『感情モードが選択された』と称し、『着信メロディの項目がない状態』を『感情モードが選択されていない』と称することは任意であるから、上記相違点（２）は、実質的な相違点ではない。
　
　相違点（３）について以下検討する。
　例えば、本件出願の原出願がなされる前に公開された特開２００２−１１１８９６号公報の５頁８欄段落【００３４】及び９頁図７、特開２０００−２７０３０５号公報の３頁４欄段落【０００６】〜【０００７】に記載されているように、通信端末において、感情を表現するために、撮像した顔画像情報から感情に対応するものを選択して送信する技術は、本件出願の原出願時当業者に周知のものであり、引用発明に、感情を表現するために用いるコンテンツとして、撮像した画像を適用することは、当業者が容易に想到し得たことである。
　
　相違点（４）について以下検討する。
　引用例記載の「着信メロディ」は、既述のとおり「楽しい」「悲しい」などの感情を表現するためのものであり、「楽しくなるようなもの、悲しくなるようなもの」及び「着信メロディを指定する情報」を、「感情モード」及び「感情モードのデータ」と称することは任意であるから、上記相違点（４）は、実質的な相違点ではない。
　
　そして、補正後発明に関する作用・効果も、上記引用発明及び周知技術から当業者が予測し得る範囲内のものである。
　
　したがって、上記補正後発明は上記引用発明及び周知技術に基いて容易に発明をすることができたものであるから、特許法第２９条第２項の規定により、特許出願の際独立して特許を受けることができないものである。　
　
３．結語
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するので、特許法第１５９条第１項において読み替えて準用する同法第５３条第１項の規定により却下されるべきものである。
　
　ここで、補正後発明に関する請求人の主張について付言する。
　請求人は、審尋に対する平成２３年７月１１日付け回答書の４頁１１〜１６行において、
　
「本願発明は、上記相違点に起因して、感情モードが選択されたと判定した場合に、画像を感情モードとして設定する手段により選択された感情モードを設定するので、利用者は、画像を感情モードとして設定する場合に、感情モードに関する画像の設定であることを確実に認識することができます。よって、本願発明は、画像の設定において、利用者が感情モードとは異なる他のモード等における画像の設定であると誤って認識する虞を防止することができます。」
　
と主張するが、本件出願の明細書にそのような効果は記載されていない。
　
　
第３．本願発明について
　
１．本願発明
　平成２１年１２月１日付けの手続補正は上記のとおり却下されたので、本願発明は、「第２．１．本願発明と補正後発明」の項で「本願発明」として認定したとおりである。
　
２．引用発明及び周知技術
　引用発明及び周知技術は、上記「第２．２．（２）独立特許要件」の項中の［引用発明］及び［対比・判断］の項で認定したとおりである。
　
３．対比・判断
　そこで、本願発明と引用発明とを対比するに、本願発明は上記補正後発明から、当該補正に係る構成を省いたものである。
　そうすると、本願発明の構成に上記補正に係る構成を付加した補正後発明が、上記「第２．２．（２）独立特許要件」の項で検討したとおり、当業者が上記引用発明及び周知技術に基いて容易に発明をすることができたものであるから、本願発明も、同様に、当業者が引用発明及び周知技術に基いて容易に発明をすることができたものである。
　そして、本願発明に関する作用・効果も、引用発明及び周知技術から当業者が予測できる範囲内のものである。
　
　
４．むすび
　以上のとおり、本願発明は、上記引用発明及び周知技術に基いて、当業者が容易に発明をすることができたものであるから、特許法第２９条第２項の規定により特許を受けることができない。
　
　
　
　よって、結論のとおり審決する。